(57)【要約】【課題】  爪に塗布したネイルエナメル等を効果的に除去すると共に、除去の際、爪の水分や脂分の蒸発を防ぎ、さらに、爪に潤いを与える、ネイルエナメルリムーバを提供する。【解決手段】  炭酸プロピレンを４０〜８０重量％と、アジピン酸ジイソプロピル、アジピン酸ジイソブチル及びコハク酸ジエトキシエチルからなる群から選ばれる一種又は二種以上を１０〜５０重量％とを含有するネイルエナメルリムーバ。【選択図】  なし【特許請求の範囲】
【請求項１】
炭酸プロピレンを４０〜８０重量％と、アジピン酸ジイソプロピル、アジピン酸ジイソブチル及びコハク酸ジエトキシエチルからなる群から選ばれる一種又は二種以上を１０〜５０重量％とを含有するネイルエナメルリムーバ。
【請求項２】
炭酸プロピレンを４０〜８０重量％と、アジピン酸イソプロピル及び／又はコハク酸ジエトキシエチル２０〜４０重量％とを含有するネイルエナメルリムーバ。
【請求項３】
有機変性粘土鉱物及び／又は疎水性シリカを含む請求項１又は２に記載のネイルエナメルリムーバ。
【請求項４】
有機変性粘土鉱物８〜２４重量％及び／又は疎水性シリカ２〜９重量％を含有する請求項１〜３のいずれかに記載のネイルエナメルリムーバ。
【請求項５】
少なくとも、マッサージ機能を有する多数の突起が配設されている容器と、該容器に充填した請求項１〜４のいずれかに記載のネイルエナメルリムーバとからなるマッサージ機能を有するネイルエナメル除去具。
【発明の詳細な説明】
【技術分野】
【０００１】
爪に塗布したネイルエナメル等を効果的に除去すると共に、除去の際、爪の水分や脂分の蒸発を防ぎ、さらに、爪に潤いを与えるネイルエナメルリムーバ、及びこれを用いたネイルエナメル除去具に関する。
【技術背景】
【０００２】
従来から、種々のネイルエナメルリムーバが知られている。これらは、主として、酢酸エステル類、アセトン、アルコールを溶剤として使用している。そのため、爪や周辺の皮膚の脂分が取り除かれてしまい、水分が蒸散し、爪や周辺の皮膚が脱脂され白くなったり（白化）、爪が損傷してしまうという問題があった。
【０００３】
一方、特許文献１では、脱脂力の比較的少ない溶剤である炭酸プロピレンを用いたネイルエナメルリムーバについて開示している（特許文献１）。しかしながら、このような炭酸プロピレンを含有するネイルエナメルリムーバを用いても、爪や爪の周りの皮膚の潤いに関する問題は、解決していない。さらに、ネイルエナメルの落ちや使用感も良好とはいえない。
【０００４】
【特許文献１】特開平１１−１３９９３７号公報
【発明の開示】
【発明が解決しようとする課題】
【０００５】
本願発明は、上記従来の課題を解決することを目的としたものであって、ネイルエナメル等の除去効果に優れ、かつ、爪や周りの皮膚の白化、爪の損傷が起こらず、トリートメント性の高いネイルエナメルリムーバを提供するものである。
【課題を解決するための手段】
【０００６】
上記課題を踏まえ、発明者が鋭意検討を行った結果、驚くべきことに、炭酸プロピレンと、アジピン酸ジイソプロピル、アジピン酸ジイソブチル及びコハク酸ジエトキシエチルからなる群から選ばれる一種又は二種以上を併用することにより、上記炭酸プロピレンを採用した場合の従来の問題点を解決し、さらに、良好な除去効果も保つことを見出した。
【０００７】
具体的には、（１）炭酸プロピレンを４０〜８０重量％と、アジピン酸ジイソプロピル、アジピン酸ジイソブチル及びコハク酸ジエトキシエチルからなる群から選ばれる一種又は二種以上を１０〜５０重量％とを含有するネイルエナメルリムーバ：（２）炭酸プロピレンを４０〜８０重量％と、アジピン酸ジイソプロピル及び／又はコハク酸ジエトキシエチル２０〜４０重量％とを含有するネイルエナメルリムーバ：（３）有機変性粘土鉱物及び／又は疎水性シリカを含む（１）又は（２）に記載のネイルエナメルリムーバ：（４）有機変性粘土鉱物８〜２４重量％（より好ましくは８〜１５重量％）及び／又は疎水性シリカ２〜９重量％（より好ましくは２〜８重量％）を含有する（１）〜（３）のいずれかに記載のネイルエナメルリムーバ：（５）少なくとも、マッサージ機能を有する多数の突起が配設されている容器と、該容器に充填した（１）〜（４）のいずれかに記載のネイルエナメルリムーバとからなるマッサージ機能を有するネイルエナメル除去具：を採用した。
【発明の効果】
【０００８】
本願発明により、ネイルエナメル等を容易に除去し、かつ、爪や爪の周りの皮膚の白化及び爪の損傷を起こさないトリートメント性の高いネイルエナメルリムーバを提供することが可能になった。
【０００９】
さらに、本願発明の除去具を採用することにより、ネイルエナメルを除去する際に、爪及び／又はその周辺の皮膚に該突起により、適度な刺激を与え、爪及び／又はその周辺の皮膚を健康に及び／又は美しく保つことが可能になった。
【発明を実施するための最良の形態】
【００１０】
以下において、本願発明の内容について詳細に説明する。尚、本明細書において「〜」とはその前後に記載される数値を下限値及び上限値として含む意味で使用される。
【００１１】
本願発明でいうネイルエナメルリムーバとは、例えば、爪に塗布した化粧料その他の塗布物を除去するものをいい、より具体的には、ネイルエナメル、光沢物、飾り、ワンタッチネイル（付爪）を貼り付けるための糊等を除去するためのものをいう。
【００１２】
本願発明で採用する炭酸プロピレンの含量は、４０〜８０重量％、好ましくは、４５〜７０重量％である。炭酸プロピレンの含有量が４０重量％より少ないと、十分な除去効果が得られない。一方、炭酸プロピレンの含有量が８０重量％より多いと、他の成分（例えば、油剤、増粘剤）の配合量が少なくなってしまい、爪のトリートメント効果が悪くなるとともに、使用性の観点からも好ましくない。
炭酸プロピレンは、本願発明の趣旨を逸脱しない限り、公知のものを広く採用することができる。炭酸プロピレンは、市販品を使用することができ、例えば、プロピレンカーボネイト（丸善ケミカル(株)社製）、炭酸プロピレン（昭和電工(株)社製）を採用することができる。
【００１３】
本願発明のネイルエナメルリムーバは、アジピン酸ジイソプロピル、アジピン酸ジイソブチル及びコハク酸ジエトキシエチルからなる群から選ばれる化合物を一種又は二種以上用いる。これらの化合物は、一般的に、油剤としての働きを示すものである。従来から、種々の油剤が知られているが、本願発明では、驚くべきことに、上記油剤を炭酸プロピレンと併せて採用することにより、ネイルエナメル等を容易に除去し、かつ、爪や周りの皮膚の白化、爪の損傷が起こさないトリートメント性の高いネイルエナメルリムーバとすることが可能となった。
【００１４】
アジピン酸ジイソプロピル、アジピン酸ジイソブチル及びコハク酸ジエトキシエチルからなる群から選ばれる化合物の含量は、合計で１０〜５０重量％であり、より好ましくは、２０〜４０重量％である。
これらの群から選ばれる化合物の配合量が１０％より少ないと、除去後の油剤の残りが少なく爪のトリートメント性に欠ける。また、５０％を越えるとネイルエナメルになじみにくくなり、除去し難くなる。
アジピン酸ジイソプロピル、アジピン酸ジイソブチル及びコハク酸ジエトキシエチルからなる群から選ばれる化合物は、アジピン酸ジイソプロピル１０〜２０重量％及び／又はコハク酸ジエトキシエチル２０〜４０重量％からなるものである。
アジピン酸ジイソプロピル、アジピン酸ジイソブチル及びコハク酸ジエトキシエチルは、本願発明の趣旨を逸脱しない限り、公知のものを広く採用することができる。
例えば、アジピン酸ジイソプロピルは、例えば、市販品のＮＩＫＫＯＬ  ＤＩＤ（日光ケミカルズ(株)社製、）、Ｃｒｏｄａｍｏｌ  ＤＡ、（クローダジャパン(株)社製）、ＫＡＫ  ＤＩＰＡ（高級アルコール工業(株)社製）等を、アジピン酸ジイソブチルは、例えば、市販品のＫＡＫ  ＤＩＢＡ（高級アルコール工業(株)社製）、コハク酸ジエトキシエチルは、例えば、市販品のＣｒｏｄａｍｏｌ  ＤＥＳ（クローダジャパン(株)社製）を採用することができる。
【００１５】
本願発明のネイルエナメルリムーバには、さらに、有機変性粘土鉱物及び／又は疎水性シリカを含めることができる。
ここで、本願発明の有機変性粘土鉱物とは、例えば、ベントナイトやモンモリロナイトに、カチオン活性剤及び非イオン性の高級有機極性化合物を化学的に結合させた物質をいう。例えば、ベンジルジメチルステアリルアンモニウムヘクトライト（より具体的には、ベントン２７、ベントン２７V（いずれも、ＥＬＥＭＥＮＴＩＳ  ＳＰＥＣＩＡＬＩＴＩＥＳ，ＩＮＣ．社製））であり、ジメチルステアリルアンモニウムヘクトライト（より具体的には、ベントン３８、ベントン３８V（いずれも、ＥＬＥＭＥＮＴＩＳ  ＳＰＥＣＩＡＬＩＴＩＥＳ，ＩＮＣ．社製））等が挙げられる。
また、疎水性シリカとしては、例えば、シリカをトリメチルシリルクロライドやヘキサメチルジシラザンによるトリメチルシロキシ化処理したもの、ジメチルジクロロシランによるメチル化処理したもの、ハイドロジェンメチルポリシロキサンを用いたコーティング焼き付け処理したもの、金属石鹸によるコーティング等が挙げられる。例えば、シリル化処理無水ケイ酸であり、より具体的には、アエロジル社製、アエロジルＲ９７４が挙げられる。
有機変性粘土鉱物や疎水性シリカは、ぞれぞれ、一種類のみを採用してもよく、二種類以上を併用しても良い。また、これらは、好ましくは有機変性粘土鉱物及び疎水性シリカの合計で２〜４０重量％、より好ましくは有機変性粘土鉱物及び疎水性シリカの合計で２〜３０重量％、さらに好ましくは有機変性粘土鉱物８〜２４重量％と疎水性シリカ２〜９重量％、最も好ましくは有機変性粘土鉱物８〜１５重量％と疎水性シリカ２〜８重量％配合する。
【００１６】
本願発明のネイルエナメルリムーバには、本願発明の効果を損なわない範囲で、上記成分以外に加えて、他の成分、例えば、従来からネイルエナメルリムーバに使用することが知られている成分を配合することができる。具体的には、液状油剤、固形油剤、アルコール類、界面活性剤、粉体等を配合することができる。
【００１７】
液状油剤としては、一般に化粧料として使用されているもの、例えば流動パラフィン、軽質イソパラフィン、軽質流動イソパラフィン、スクワラン、ミリスチン酸イソプロピル、パルミチン酸イソプロピル、パルミチン酸オクチル、２−エチルヘキサン酸セチル、イソノナン酸イソノニル、イソノナン酸イソトリデシル、ピバリン酸２−オクチルドデシル、ジカプリン酸ネオペンチルグリコール、オレイルアルコール、イソステアリルアルコール、トリ２−エチルヘキサン酸グリセリル、ジイソステアリン酸ジグリセリル、トリイソステアリン酸ジグリセリル、リンゴ酸ジイソステアリル、オリブ油、ホホバ油、マカダミアナッツ油、グレープシード油、ローズヒップ油等が挙げられ、これらの一種又は二種以上を選択して配合しても良い。好ましい配合量としては、１０重量％以下である。
【００１８】
固形油剤としては、パルミチルアルコール、ステアリルアルコール、セトステアリルアルコール、ベヘニルアルコール、バチルアルコール等の高級アルコールが挙げられる。これらの一種又は二種以上を選択して配合しても良く、好ましい配合量としては、５重量％以下である。
【００１９】
多価アルコールとしては、１．３−ブチレングリコール、ジプロピレングリコール、グリセリン、ポリエチレングリコール３００、 ４００、６００、１０００、２０００、４０００、６０００、１１０００及び２００００等のものが挙げられる。これらの一種又は二種以上を選択して配合しても良く、好ましい配合量としては、１０重量％以下である。
【００２０】
界面活性剤としては、非イオン系界面活性剤が好ましく、例えばポリオキシエチレンソルビタン脂肪酸エステル、ポリオキシエチレンソルビット脂肪酸エステル、ポリオキシエチレン硬化ヒマシ油、ポリエチレングリコール脂肪酸エステル、ポリオキシエチレンアルキルエーテル、グリセリン脂肪酸エステル、ポリグリセリン脂肪酸エステル、プロピレングリコール脂肪酸エステル等が挙げられる。これらの一種又は二種以上を選択して配合しても良く、好ましい配合量としては、０．１〜５重量％である。
【００２１】
粉体としては一般に化粧料として使用されているもの、例えばマイカ、タルク、セリサイト、無水ケイ酸、炭酸カルシウム、ナイロン末、ポリアクリル酸アルキル、酸化チタン、酸化鉄、グンジョウ、コンジョウ等の無機顔料、赤色２０２号、赤色２２６号、青色１号、黄色４号等の有機顔料、雲母チタン、ベンガラ被覆雲母チタン、黄酸化鉄被服雲母チタン、酸化チタン被覆合成金雲母等のパール顔料等が挙げられる。これらの一種又は二種以上を選択して配合しても良く、好ましい配合量としては、１０重量％以下である。
【００２２】
本願発明のネイルエナメルリムーバの粘度は、好ましくは１００〜１０００００ｍＰａ・Ｓ、より好ましくは５０００〜５００００ｍＰａ・Ｓである。このような範囲とすることにより、例えば、後述するようなマッサージ機能を有する容器に充填して使用する場合に、塗布しやすいという利点がある。もちろん、これ以外の態様を除去する趣旨ではない。
【００２３】
本願発明のネイルエナメルリムーバは、本願発明の趣旨を逸脱しない限り、ゲル状、乳状、クリーム状等、いずれの状態であっても良く、ネイルエナメルリムーバの使用形態、販売形態等を考慮して適宜定めることができる。
【００２４】
これらのネイルエナメルリムーバは、ガラス、ＰＥＴ、ＰＰ、ＰＥその他の素材からなる容器に充填することができる。加えて、例えば、ネイルエナメルリムーバが押出される部分にマッサージ機能を有する突起の付いた容器に充填することにより、マッサージ機能を有するネイルエナメルリムーバとすることができる。ここで、マッサージ機能とは、例えば、爪及び／又はその周辺の皮膚に該突起により、適度な刺激を与える機能をいう。このようなマッサージ機能を有するリムーバを採用することにより、爪及び／又はその周辺の皮膚を健康に及び／又は美しく保つことが可能になり、かつ爪の細部までネイルエナメルを除去することが可能になる。
【００２５】
マッサージ機能を有する突起の付いた容器は、例えば、容器本体に充填されたネイルエナメルを先端側に押出し可能な容器であって、その先端側を覆うように装着される多数の突起と、ネイルエナメルリムーバが押出される吐出領域とを有する塗布部からなるものが挙げられる。すなわち、塗布部の吐出領域は、突起の周囲にあっても良いし、多数の突起の中央にあっても良い。さらに、上記突起は、先細りの錘状が好ましい。また、上記突起は、いわゆるブラシ状のものが好ましい。さらに、必要に応じて、塗布部を容器の軸方向に対して傾斜するように設けても良い。
【００２６】
図１は、マッサージ機能を有する突起の付いた容器の一例を示したものであって、１が塗布部を、２がマッサージ機能を有する突起を、３がネイルエナメルリムーバの吐出領域を、４が容器本体を、５がネイルエナメルリムーバを押出すための押出操作部を、それぞれ示している。そして、容器本体４に充填したネイルエナメルリムーバは、押出操作部５を、回転させることにより塗布部１の突起２の周辺にある吐出領域３から適量が押出される。そして、使用者は、マッサージ機能を有する突起２で、ネイルエナメルリムーバを爪の表面に塗布しながら、爪の表面や周りをマッサージすることができる。その後、ネイルエナメルを、ネイルエナメルリムーバと共に、ふき取ることにより、ネイルエナメルを完全に除去することができる。
【００２７】
尚、マッサージ機能のある突起の付いた容器として、特願２００３−３２６６９５号の出願明細書の請求項１〜６のいずれかに記載の容器や、意匠登録願２００３−２１４０２号の願書及び図面に記載の容器等を採用することができる。
【００２８】
また、本願発明のネイルエナメルリムーバをシート状のものに含浸させた又は表面に塗布したネイルエナメルリムーバシートとすることも可能である。従来のネイルエナメルリムーバは、使用時に使用者が綿等のやわらかい素材に含浸させて又は適量を分取して使用していたが、あらかじめネイルエナメルリムーバをシート状のものに含浸等しておくことにより、使用者の手間省け好ましい。さらに、個別包装にすることにより、旅行等の携帯にも便利なものとすることができる。
【実施例】
【００２９】
１）油剤によるネイルエナメルリムーバの効果
（評価方法）
平板にネイルエナメルを塗布して十分に乾燥させた後、表１に示した各種化合物を、該ネイルエナメルに塗布した。塗布量は、該ネイルエナメルの表面を覆うのに十分な量とした。各種化合物を塗布して１０秒後に、コットンで平板上をふき取り、ネイルエナメルの状態を目視で確認した。尚、表１における、市販品Ａは、アニバーサリー  ネイルエナメル（販売元：(株)アルビオン、品番：１０６）、市販品Ｂは、オーブ  アクアドロップ（販売元：花王(株)、品番：ＰＫ８０３）である。
【００３０】
【表１】
2005206560.tif 000002
【００３１】
ここで、表１は、１〜４段階評価で示した。４が最も良く、具体的には、評価４は落ちる、評価３は不完全であるが落ちる、評価２は多少落ちる、評価１は全く落ちない、を示している。この結果、炭酸プロピレンを用いた場合、市販品Aについては、評価が４と良好に落とすことができたが使用後の爪の状態、安定性等が悪かった。その他については、使用後の爪の状態、安定性等のいずれについても不十分であった。これらは、従来から一般的に知られているネイルエナメルリムーバを構成する成分であるが、該成分単独では、効果が十分でないことが認められた。
【００３２】
２）実施例１〜９、比較例１〜３
下記表２、表３に示した成分１〜７を添加し溶解後、成分８及び９を添加して混合・撹拌し、ネイルエナメルリムーバを得た（実施例１〜９、比較例１〜３）。尚、表２、表３における各成分の配合量は、重量％で示している。
得られたネイルエナメルリムーバは、上記で説明した図１に示すマッサージ機能を有する突起が付いた容器に充填した。
次に、ネイルエナメル（上述の市販品Ａ）を平板上に塗布した。そして、上記マッサージ機能を有する容器の突起の周囲にある吐出領域からネイルエナメルリムーバを適量出して、マッサージをしながらネイルエナメルをふき取った。落としやすさの評価については、上記１）油剤によるネイルエナメルリムーバの効果のところで示した方法と同様の方法で行った（但し、評価は後述するとおり５段階とした）。さらに、除去後の爪の損傷度を評価した。損傷度は、使用後の爪の状態、安定性、並びに落としやすさ及び爪の損傷等を含めた総合評価で示した。ここで、評価は、１〜５で表した。５が最も好ましく、具体的には、５はきわめて良好である、４は良好である、３は使用可能な程度に良好である、２はやや不十分である、１は不十分である、を示している。また、「安定性」とは、５０℃で１週間放置した後状態を目視で測定したものをいう。
これらの結果を、表４及び表５に示した。
【００３３】
【表２】
2005206560.tif 000003
【００３４】
【表３】
2005206560.tif 000004
【００３５】
【表４】
2005206560.tif 000005
【００３６】
【表５】
2005206560.tif 000006
【００３７】
表４に示すとおり、炭酸プロピレンが本願発明の含有量に満たない場合（比較例１）や過剰な場合（比較例３）、アジピン酸ジイソプロピル、アジピン酸ジイソブチル及びコハク酸ジエトキシエチルの合計含有量が本願発明の含有量に満たない場合（比較例２）には、良好な効果が得られなかった。さらに、表４及び表５に示すとおり、ベンジルジメチルステアリルアンモニウムヘクトライトやシリル化処理無水ケイ酸を含有しないもの(実施例９)よりも、含むもの (実施例１〜８)の方がより落としやすいという評価が得られた。また、総合評価にすいても、実施例１〜８は実施例９より、より良好であった。
【００３８】
３）実施例１０
下記表６に示すとおり配合した。尚、各成分の配合量は、重量％で示している。そして、上記２）と同様の容器に充填して、同様に評価したところ、落としやすさ、使用後の爪の状態、安定性、総合評価のいずれにおいても、最も好ましい評価「５」が得られた。
【００３９】
【表６】
2005206560.tif 000007
【図面の簡単な説明】
【００４０】
【図１】本願発明で採用するマッサージ機能を有する突起の付いた容器の一例を示す。
【符号の説明】
【００４１】
１  塗布部
２  突起
３  吐出領域
４  容器本体
５  押出操作部
【図１】
2005206560.tif 000008